(57)【要約】【課題】  本発明は、撮影条件等の設定値をボタン一つでデフォルト値に設定し、再度同じボタンを押すことでもとの設定状態に戻すことができるようにする。また、この場合に使用者がデフォルト値が設定されている状態か否かを容易に認識できるようにする。【解決手段】  撮影条件に関するパラメータを設定して撮影を行なうデジタルカメラにおいて、ボタンが押されると現在設定されているパラメータをメモリに格納し、撮影条件に関するパラメータを所定の値に設定するとともに、パラメータが所定の値に設定されていることを表示する。前記ボタンが再度押されると前記メモリに格納されたパラメータを設定するとともに、前記表示を消去する。また、この動作は撮影モードおよび再生モード等のモード選択手段により選択されているモードでの機能に有効なパラメータについて対応させる。  【選択図】    図７
2009044409.tif 000002
【特許請求の範囲】
【請求項１】
撮影条件に関するパラメータを設定して撮影を行なうデジタルカメラにおいて、
１つのボタンが押されると現在設定されているパラメータをメモリに格納するとともに、撮影条件に関するパラメータを所定の値に設定し、前記ボタンが再度押されると前記メモリに格納されたパラメータを設定することを特徴とするデジタルカメラ。
【請求項２】
撮影条件に関するパラメータを設定して撮影を行なうデジタルカメラにおいて、
１つのボタンが押されると現在設定されているパラメータをメモリに格納するとともに、撮影条件に関するパラメータを所定の値に設定し、パラメータが当該所定の値に設定されていることを表示し、
前記ボタンが再度押されると前記メモリに格納されたパラメータを設定し、前記表示を消去することを特徴とするデジタルカメラ。
【請求項３】
複数のモードから１つのモードを選択するモード選択手段を有し、
前記設定値は、前記モード選択手段により選択されているモードでの機能に有効なパラメータ等であることを特徴とする請求項１または２記載のデジタルカメラ。
【請求項４】
前記複数のモードは撮影モードおよび再生モードであり、
前記モード選択手段により撮影モードが選択されている場合に、前記ボタンが押されると、少なくともフォーカス方式、測光方式、ＩＳＯ感度、露出に関する値が所定の値に設定されることを特徴とする請求項３記載のデジタルカメラ。
【発明の詳細な説明】
【技術分野】
【０００１】
この発明は、デジタルカメラに関し、特に撮影条件等に関するパラメータを設定する設定装置に関する。
【背景技術】
【０００２】
従来、デジタルカメラの解像度、フォーカス方式、測光方式、ＩＳＯ感度、ホワイトバランス、露出等の撮影に関するパラメータは、メニュー表示に従い使用者が１項目毎に設定を行なうことにより設定を行なっている。また、変更した値を初期値に戻す場合は、メニュー表示に従い「設定リセット」の項目で初期値にリセットを選択・決定することで、全てのパラメータを初期値に設定しなおすという複雑な操作を要していた。
【０００３】
この種の装置の一例として、特許文献１（特開２００１−２５７９３３号）に開示されている。この特許文献１には、予め使用者が設定したカスタム条件をカスタムボタンを押すことで設定する機能を有している電子カメラが開示されている。また、電源を切っても設定条件の内容が消えないように不揮発性メモリに格納していることも開示されている。
【０００４】
しかし、カスタム条件を設定した後は設定前の値は書き換えられ、変更後の条件しか不揮発性メモリに格納されていないため、一度カスタムボタンを押すと元の状態に戻すことができないものであった。
【特許文献１】特開２００１−２５７９３３号公報
【発明の開示】
【発明が解決しようとする課題】
【０００５】
本発明は、撮影条件等の設定値をボタン一つでデフォルト値に設定し、再度同じボタンを押すことでもとの設定状態に戻すことができるようにする。また、使用者がデフォルト値が設定されている状態か否かを容易に認識できるようにする。
【課題を解決するための手段】
【０００６】
本発明は、上記課題を解決するために、複数のパラメータを設定して撮影を行なうデジタルカメラにおいて、１つのボタンが押下されると現在設定されている設定値をメモリに格納するとともに、所定の値に設定し、再度ボタンが押下されると前記メモリに格納された設定値を再度設定する。
【０００７】
また、１つのボタンが押下されると現在設定されている設定値をメモリに格納するとともに、所定の値に設定および所定の値を設定した旨の表示を行い、当該ボタンが再度押下されると、メモリに格納された設定値を設定し表示を消去する。
【０００８】
なお、再生モード、撮影モード等の複数のモードから１つのモード選択する選択手段を有し、設定値は選択設定されたモードに有効なパラメータとする。
【発明の効果】
【０００９】
本発明によれば、操作者は複雑なボタン操作を強いられることなく撮影パラメータをデフォルト値に設定することができ、再度、元の設定状態に戻すことができる。
【００１０】
なお、現在設定されているモードによって、本発明にかかるボタンを対応させることで、同一ボタンで各モードに応じた設定を行なうことができ、省スペース化を図ることができる。
【００１１】
さらに、使用者がデフォルト値と使用者自身で設定した状態をボタン１つで切替えることができるというデジタルカメラの使い方ができる。また、既に設定されている状態を変更することなく、デフォルト値の常態で使用することができる。
【発明を実施するための最良の形態】
【００１２】
図１を参照して、この実施例のデジタルカメラ１は、光学レンズ２を含む。被写界の光学像は、光学レンズ２を介してＣＣＤイメージャ３の撮像面に照射される。撮像面では、光電変換によって被写界の光学像に対応する電荷つまり画像信号が生成される。
【００１３】
この実施例のデジタルカメラ１は、再生モードおよび撮影モードを有する。再生／撮影モード選択スイッチ４が再生モードを示す位置に合わされると、デジタルカメラ１が再生モードに設定される。一方、再生／撮影モード選択スイッチ４が撮影モードを示す位置に合わされると、デジタルカメラ１が撮影モードに設定される。
【００１４】
再生／撮影モード選択スイッチ４を撮影モード位置に合わせる操作が行われると、ＣＰＵ５は撮影タスクを起動する。このとき、被写界のリアルタイム動画像つまりスルー画像をＬＣＤパネル６に表示すべく、スルー画像処理が実行される。
【００１５】
具体的には、ＣＰＵ５は、プリ露光および間引き読み出しの繰り返しをタイミングジェネレータ７に命令する。タイミングジェネレータ７は、ＣＣＤイメージャ３のプリ露光と、これによって生成された画像信号の間引き読み出しとを繰り返し実行する。タイミングジェネレータ７はまた、画素クロック，水平同期信号Ｈｓｙｎｃおよび垂直同期信号Ｖｓｙｎｃを含む複数のタイミング信号を発生する。ドライバ８は、かかるタイミング信号に応答してＣＣＤイメージャ３を駆動する。この結果、垂直同期信号Ｖｓｙｎｃは１／３０秒毎に発生し、画像信号は１／３０秒に１フレームの割合でＣＣＤイメージャ３から出力される。
【００１６】
ＣＤＳ／ＡＧＣ／ＡＤ回路９は、ＣＣＤイメージャ３から出力された画像信号に、相関２重サンプリング，自動ゲイン調整およびＡ／Ｄ変換の一連の処理を施す。信号処理回路１０は、ＣＤＳ／ＡＧＣ／ＡＤ回路９から出力された生画像データに，クランプ，ホワイトバランス調整およびＹＵＶ変換などの一連の処理を施し、こうして得られた低解像度の画像データの書き込み要求がメモリ制御回路１１に与えられる。
【００１７】
メモリ制御回路１１によって書き込みが許可されると、信号処理回路１０はバス１２を通して所定量の画像データをメモリ制御回路１１に与える。所定量の画像データは、メモリ制御回路１１によってＳＤＲＡＭ１３に書き込まれる。こうして、低解像度の画像データがＳＤＲＡＭ１３に所定量ずつ格納される。
【００１８】
ＬＣＤドライバ１４は、ＳＤＲＡＭ１３に格納された画像データを１／３０秒に１フレームの割合で読み出すべく、読み出し要求をメモリ制御回路１１に向けて繰り返し与える。メモリ制御回路１１はＳＤＲＡＭ１３から所定量の画像データを読み出し、読み出された画像データはバス１２を介してＬＣＤドライバ１４に与えられる。ＬＣＤドライバ１４は、メモリ制御回路１１から与えられた画像データをＮＴＳＣフォーマットに従うコンポジットビデオ信号に変換し、変換されたコンポジットビデオ信号をＬＣＤパネル６に与える。この結果、ＬＣＤパネル１４上に被写界のスルー画像が表示される。
【００１９】
メニューボタン２５を押すと、ＬＣＤパネル１４にメニュー画面が表示され、操作者はメニュー画面の表示に従い選択・決定ボタン２２により各種パラメータの設定を行なう。
【００２０】
たとえば、静止画撮影パラメータについては、撮影設定画面に従いつぎの設定を行なう。
【００２１】
画質の設定をする場合、静止画モードメニュー表示に「８Ｍ」３２６４×２４４８ピクセル、「４Ｍ」２２８８×１７１２ピクセル、「３．５Ｍ」２４９６×１４０８ピクセル、「２Ｍ」１９２０×１０８０ピクセルをＬＣＤ６にアイコン表示がなされ、使用者はいずれか１つを選択・決定キーを操作して選ぶこととなる。
【００２２】
また、フォーカスレンジを設定する場合、フォーカスメニューから「全域モード」１０ｃｍ〜∞ｍ，「ノーマルモード」８０ｃｍ〜∞ｍ，「マニュアルフォーカス」，「スーパーマクロモード」１ｃｍ〜１ｍが表示され、使用者はいずれかを選択する。
【００２３】
フォーカス方式を設定する場合も、９箇所のフォーカスポイントでピントを合わせる「９点測距フォーカス」、中央部の被写体にフォーカスを合わせるスポットフォーカスを選択する。測光方式メニューから「多分割測光」，「中央重点測光」，「スポット測光」から選択すし、ＩＳＯ感度を設定する場合、「ＩＳＯ−Ａ」オート、「ＩＳＯ５０」、「ＩＳＯ１００」、「ＩＳＯ２００」、「ＩＳＯ４００」、「ＩＳＯ８００」、「ＩＳＯ１６００」から選択する。
【００２４】
同様に、露出、ホワイトバランス、手ぶれ補正についてもメニュー表示に従い選択設定を行なう。これらの、設定パラメータの初期値は不揮発性のメモリ２６にデフォルトテーブルとして格納されている。
【００２５】
具体的には、解像度：４Ｍ（２２８８×１７１２ピクセル）、フォーカスレンジ：全域、フォーカス方式：９点測距、測光方式：多分割方式、ＩＳＯ感度：ＩＳＯ−Ａ等の各パラメータに対するデフォルト値が格納されている。
【００２６】
また、現在の設定値はデフォルトテーブルとは別に、カレントテーブルとしてメモリ２６に格納され、設定値が変更されると随時書き換えられる。そして、静止画撮影ボタン１５を押下する操作が行われると、システムコントローラ１６はＣＰＵ５に静止画撮影命令を出力し、この静止画撮影命令に従って撮影処理が実行される。
【００２７】
ＣＰＵ５は、上述のメモリ２６のカレントテーブルに設定されている撮影処理に関するパラメータに従い、以下の動作を行なう。すなわち、ＣＰＵ５は設定値に基づき、本露光及び全画素読み出しの実行をタイミングジェネレータ７に命令し、ドライバ８にＣＣＤイメージャ３の駆動を命令する。タイミングジェネレータ７は、ＣＣＤイメージャ３に本露光を施し、本露光によって生成された全ての電荷がＣＤＳ／ＡＧＣ／ＡＤ回路９に向けて出力される。そして、上述と同様の処理が実行され、高解像度の画像データがＳＤＲＡＭ１３に格納される。
【００２８】
画像データがＳＤＲＡＭ１３に格納されると、ＣＰＵ５は次に、所望の解像度でのＪＰＥＧ圧縮をＪＰＥＧコーデック１７に命令する。ＪＰＥＧコーデック１７は、ＳＤＲＡＭ１３に格納された高解像度の画像データをメモリ制御回路１１を通して読み出し、読み出された画像データにＪＰＥＧ圧縮を施し、そして圧縮画像データをメモリ制御回路１１を通してＳＤＲＡＭ１３に書き込む。こうして、圧縮画像データがＳＤＲＡＭ１３に格納される。
【００２９】
なお、バス１２上での画像データの転送速度は、信号処理回路１０，ＬＣＤドライバ１４およびＪＰＥＧコーデック１７の各々の処理速度よりも格段に速い。このため、画像データがバス１２上で衝突することはなく、データ転送処理が破綻することもない。圧縮画像データがＳＤＲＡＭ１３に格納されると、記録処理が実行される。具体的には、ＣＰＵ５は記録媒体１８への記録命令をＩ／Ｆ回路１９に発行し、Ｉ／Ｆ回路１９はメモリ制御回路１１に圧縮画像データの読み出し要求を発行する。メモリ制御回路１１はＳＤＲＡＭ１３に格納された圧縮画像データを読み出し、読み出された圧縮画像データを含む画像ファイルはＩ／Ｆ回路１９によって記録媒体１８に記録される。
【００３０】
また、動画撮影ボタン２０を押下する操作が行われると、システムコントローラ１６はＣＰＵ５に動画撮影命令を出力し、この動画撮影命令に従って撮影処理が実行される。
【００３１】
すなわち、ＣＰＵ５は、メモリ２６に設定されている撮影処理に関するパラメータ動画撮影用の設定値に従い、以下の動作を行なう。ＣＰＵ５は、動画用の露光とこれによって生成された生画像信号の間引き読み出しとを繰り返し実行する。イメージセンサ３からは、被写体の光学像に対応する解像度の生画像信号が出力される。出力された生画像信号は、信号処理回路１０によってＡ／Ｄ変換，色分離，ＹＵＶ変換などの処理を施され、ＹＵＶ形式の画像データに変換される。変換された画像データはメモリ制御回路１１によってＳＤＲＡＭ１３に書き込まれ、その後ＳＤＲＡＭ１３から読み出される。読み出された画像データは、ＭＰＥＧコーデック２１に与えられ、ＭＰＥＧ圧縮を施される。ＭＰＥＧ圧縮を施された画像データは、ＳＤＲＡＭ１３に書き込まれ、その後ＳＤＲＡＭ１３から読み出される。ＣＰＵ５は、読み出された圧縮画像データをＭＰＥＧファイル形式でＩ／Ｆ回路１９によって記録媒体１８に記録される。
【００３２】
再生モード切換操作つまり再生／撮影選択スイッチ４を再生モードにする操作され、メニューに従い選択・決定ボタン２２により画像再生が指示されるとＣＰＵ５は再生処理を行う。
【００３３】
このとき、記録媒体１８に記録された所望の画像ファイルはＩ／Ｆ回路１９によって読み出され、Ｉ／Ｆ回路１９はこの画像ファイルに含まれる圧縮画像データをメモリ制御回路１１を通してＳＤＲＡＭ１３に書き込む。
【００３４】
圧縮画像データがＳＤＲＡＭ１３に格納されると、表示処理が実行される。具体的には、書き込まれた圧縮画像データはメモリ制御回路１１によって読み出され、メモリ制御回路１１は読み出した圧縮画像データをデータ形式に応じＪＰＥＧコーデック１７またはＭＰＥＧコーデック２１に与える。ＪＰＥＧコーデック１７またはＭＰＥＧコーデック２１は、圧縮画像データに伸長処理を施し、こうして得られた伸長画像データをメモリ制御回路１３を通してＳＤＲＡＭ１３に書き込む。書き込まれた伸長画像データはメモリ制御回路１３を介してＬＣＤドライバ１４によって読み出される。ＬＣＤドライバ１４は、メモリ制御回路１１から読み出した伸長画像データをＮＴＳＣフォーマットに従うコンポジットビデオ信号に変換し、変換されたコンポジットビデオ信号をＬＣＤパネル６に与える。この結果、ＬＣＤパネル６に所望の画像が表示される。
【００３５】
この実施例のデジタルカメラ１は図２、図３に示すように筐体の正面に光学レンズ３０が設けられるとともに側面に電源ボタン２９を、背面に各種操作釦３１〜３７が設けられている。
【００３６】
電源ボタン２９は電源のＯＮ／ＯＦＦを行なうボタンであり、１秒以上押し続けることで電源ＯＮまたはＯＦＦの動作が行なわれる。また、側面に開閉可能なＬＣＤパネルが取り付けられており、電源のＯＮ／ＯＦＦはこのＬＣＤのパネルの開閉に連動しており、開閉操作によっても行なわれる。
【００３７】
再生／撮影スイッチ３１は静止画または動画撮影を行なう撮影モードと撮影された静止画または動画の再生を行なう再生モードを切り換えるスイッチである。
【００３８】
ズームスイッチ３５は、レンズ移動または電子的に画像処理を行うことで望遠あるいは広角画像を得るためのスライドスイッチである。
【００３９】
メニューボタン３２は各種設定を行なうためのアイコンをＬＣＤパネルに表示させるボタンであり、メニュー表示されたアイコンを選択し決定する選択／決定ボタン３３により所望の設定を行なうものである。
【００４０】
静止画撮影ボタン３６は静止画撮影を行なうシャッタボタンであり、動画撮影ボタン３７は動画撮影を行なうボタンである。
【００４１】
ボタン３４は本発明のフルオート機能を発揮するためのボタンであり、ボタン３４が押されると上述した撮影に関するパラメータを初期値に設定する。その後、再度ボタン３４が押されると設定値が元の状態に戻される。
【００４２】
ＣＰＵ５は、μＩＴＲＯＮのようなマルチタスクＯＳに従って動作するＣＰＵであり、図４〜図７に示すフローチャートに従う処理を行う。
【００４３】
まず、ステップＳ１で電源スイッチがオンされたかどうか判断し、ＹＥＳであれば
ステップ２で各パラメータの初期値設定を行なう。撮影に関するパラメータは上述のメモリ２６のデフォルトテーブルを参照して各パラメータの設定がなされる。また、ＦＬＡＧも初期値０に設定する。
【００４４】
つぎに、ステップ３でスルー画像表示処理を行なう。これによって、スルー画像がＬＣＤパネル６に表示される。
【００４５】
ステップ４ではフルオートボタン２４が押されたか否かを判断する。フルオートボタン２４が押されていないと判断すると、ステップＳ５ではメニューボタンが操作されたかどうか判断する。ここでＹＥＳと判断されたときにステップＳ６に進む。ステップＳ６では、メニュー画像をＬＣＤパネル６に表示する。ステップＳ７では、メニュー操作処理を行ない、メニュー操作処理が完了すると、ステップＳ８でスルー画像表示処理を再開してからステップＳ４に戻る。
【００４６】
ステップＳ５でＮＯと判断されるとステップＳ９に進み、静止画撮影ボタン１５の操作の有無を判別する。ここで、ＹＥＳであればステップＳ１０に進み静止画撮影処理を図５のフローに従って実行される。静止画撮影処理では、ステップＳ１４で、ＣＣＤイメージャ３の出力をＪＰＥＧ圧縮してＳＤＲＡＭ１３に格納する。ステップＳ１５では、ＳＤＲＡＭ１３に格納された圧縮画像データを読み出し記録媒体１８に記録する。
【００４７】
動画撮影処理は図６のフローに従って実行される。
【００４８】
ステップＳ１６でＣＣＤイメージャ３の出力をＭＰＥＧ圧縮してＳＤＲＡＭ１３に格納する。ステップＳ１７では、ＳＤＲＡＭ１３に格納された圧縮画像データを読み出し記録媒体１８に記録する。
【００４９】
ステップ４でフルオートボタン２４が押されたと判断された場合は、Ｓ１３で図７に従った処理がなされる。
【００５０】
ステップ１８で撮影モードであるか否かを判断する。撮影モードでなければ何も処理を行わずにステップＳ４に戻る。
【００５１】
ステップ１８で撮影モードであると判断された場合は、ステップ１９でＦＬＡＧが０であるか否かを判断する。
【００５２】
ステップ１９でＦＬＡＧが０であると判断された場合は、ステップ２０で現在設定されている撮影に関する設定値をメモリ２６のカレントテーブルに格納し、ステップＳ２１で撮影パラメータをデフォルトテーブルを参照してパラメータ設定する。その後、ステップＳ２２でフルオートボタンが有効であること、すなわちデフォルト値が設定されていることを示す「ＦＵＬＬ ＡＵＴＯ」アイコンのＬＣＤ表示を行う。また、ステップＳ２２でＦＬＡＧの値を１に設定する。
【００５３】
ステップＳ１９でＦＬＡＧの値が０でないと判断されると、ステップ２４でメモリ２６のカレントテーブルを参照してパラメータの設定を行なう。
【００５４】
その後、ステップ２５で「ＦＵＬＬ  ＡＵＴＯ」アイコンの表示をＬＣＤから消去し、ステップ２６でＦＬＡＧの値を０に設定する。
【００５５】
システムコントローラ１６は、電源ボタン、操作ボタン等により操作された動作を判別してＣＰＵ５に命令を出力する。
【００５６】
具体的には図８に示すフロー図に従う処理を行う。
【００５７】
ステップＳ２７では、起動操作が行われるまで待機する。電源ボタンが押下されると、ステップＳ２８で起動信号をＣＰＵ５に出力する。
【００５８】
ステップＳ２９では、再生／撮影モード切替スイッチ４によるモード切換操作が行われたか否かを判別する。モード切換操作が行われるとステップＳ３０で再生／撮影モード切替スイッチ４に対応するモード設定を行う。このとき、再生／撮影モード切替スイッチ４が再生モードの位置に合わせられると、再生モードに切り換わる一方、再生／撮影モード切替スイッチ４が撮影モードに合わせられると、撮影モードに切り換わる。
【００５９】
ステップＳ３１では、静止画撮影ボタン１５が押されたか否かを判別する。静止画撮影ボタン操作が行われるとステップＳ３２で静止画撮影命令をＣＰＵ５に出力する。
【００６０】
ステップＳ３３では、動画撮影ボタン２０が押されたか否かを判別する。動画撮影ボタン操作が行われるとステップＳ３４で静止画撮影命令をＣＰＵ５に出力する。
【００６１】
ステップＳ３５では、フルオートボタン２４が押されたか否かを判断する、フルオートボタン２４が押されたと判断されると、ステップＳ３６でフルオート処理命令をＣＰＵ５に出力する。
【００６２】
以上説明したように、本実施例によれば上述のＣＰＵ５の動作とシステムコントローラ１６の動作により、フルオートボタンが押されると、このフルオートボタンは設定されているモード（たとえば、撮影モード）のパラメータをデフォルト値に設定するボタンになる。再度フルートボタンが押されると以前の設定値にもどすことができる。そして、フルオート機能すなわちデフォルト値が設定されている間のみＬＣＤ表示器に「ＦＵＬＬ  ＡＵＴＯ」アイコンが表示される。
【００６３】
なお、本実施例では、撮影モードに使用されるパラメータについて説明したが、再生モードに設定されている場合にフルオートボタンが押された場合、再生パラメータについて同様に行なうことができる。
【図面の簡単な説明】
【００６４】
【図１】本発明の一実施形態におけるシステムブロック図である。
【図２】本発明の一実施形態におけるデジタルカメラの前面図である。
【図３】本発明の一実施形態におけるデジタルカメラの背面図である。
【図４】ＣＰＵ動作のフローチャートである。
【図５】ＣＰＵ動作のフローチャートである。
【図６】ＣＰＵ動作のフローチャートである。
【図７】システムコントローラのフローチャートである。
【符号の説明】
【００６５】
1・・・デジタルカメラ
４・・・再生／撮影モード切替スイッチ
５・・・ＣＰＵ
１５・・・静止画撮影ボタン
２０・・・動画撮影ボタン
２４・・・フルオートボタン
２９・・・電源ボタン
３１・・・再生／撮影モード切替スイッチ
３２・・・メニューボタン
３３・・・選択・決定ボタン
３４・・・フルオートボタン
３６・・・静止画撮影ボタン
３７・・・動画撮影ボタン
【図１】
2009044409.tif 000003
【図２】
2009044409.tif 000004
【図３】
2009044409.tif 000005
【図４】
2009044409.tif 000006
【図５】
2009044409.tif 000007
【図６】
2009044409.tif 000008
【図７】
2009044409.tif 000009